(57)【特許請求の範囲】
【請求項１】
軸筒と、
前記軸筒内に収容される複数の筆記芯と、
前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、
前記軸筒に形成され、前記ノック部材を押圧するための操作片が突出し、後端が開口された窓部と、
前記軸筒後端に回動自在に設けられ、前記ノック部材が通過可能な通過可能領域と、前記ノック部材の通過を規制する通過規制領域と、を有する回動壁部材と、
を有することを特徴とする多芯筆記具。
【請求項２】
前記回動壁部材は、側面視Ｃ字状に形成され、縁部をガイドされていることを特徴とする請求項１記載の多芯筆記具。
【発明の詳細な説明】
【技術分野】
【０００１】
本発明は、多芯筆記具に関する。さらに詳細には、ノック部材が接続された複数の筆記芯が設けられ、一方のノック部材を押圧操作するとペン先が突出し、他方のノック部材を押圧操作すると一方のノック部材が解除される多芯筆記具に関する。
【背景技術】
【０００２】
従来から、ノック部材が接続された複数の筆記芯を有する多芯筆記具において、ユーザーが好みのノック部材付きの筆記芯を選択し、任意に多芯筆記具を構成する多芯筆記具が開示されている。この場合、筆記芯はインク色や筆記具の種類（ボールペンやシャープペン等）を複数用意し、ユーザーはその中から２以上の筆記芯を選択して多芯筆記具を構成する。
【０００３】
特許文献１に開示される多芯筆記具では、ノック部材（操作体７）の押圧操作部（操作部７１）が外方に突出する窓部（窓孔４１）を、軸筒（後軸４）の後端まで開口する（開口部４２）とともに、この開口された後端を閉塞する蓋部（５）がヒンジ部（５２）により軸筒の径方向に軸支され開閉可能に形成されている構成が開示されている。ユーザーは、ノック部材（操作体７）が接続された筆記芯（筆記体６）を任意に選択し、蓋部（５）を開いた状態にして選択した筆記芯（筆記体６）を軸筒（後軸４）の後端の開口部（４２）から挿入する。挿入後、蓋部（５）を閉じて多芯筆記具は構成される。
【０００４】
なお、何れの特許文献においても、ノック部材（操作体７）は後方へ付勢されるとともに、ノック部材（操作体７）の後端は蓋部（５）と当接可能に形成されている。
【先行技術文献】
【特許文献】
【０００５】
【特許文献１】特開２００７−３８６３５
【発明の概要】
【発明が解決しようとする課題】
【０００６】
上述の多芯筆記具においては、ノック部材の後端を蓋部に当接させているため、一方の筆記芯の解除操作毎にコイルバネの付勢力によりノック部材の後端が蓋部に衝突する。繰り返しのノック部材の蓋部への衝突によっても蓋部が開かないようにするには、蓋部を閉めたときの係合を強くすることが考えられるが、蓋部の係合を強くすると、蓋部が開けにくくなり、甚だ不便になる。一方で、この問題を解決するために、コイルバネの付勢力を弱めることもできる。この場合、ノック部材が完全に後端まで戻らない等の不具合が発生する。
【課題を解決するための手段】
【０００７】
本発明は、軸筒と、前記軸筒内に収容される複数の筆記芯と、前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、前記軸筒に形成され、前記ノック部材を押圧するための操作片が突出し、後端が開口された窓部と、前記軸筒後端に回動自在に設けられ、前記ノック部材が通過可能な通過可能領域と、前記ノック部材の通過を規制する通過規制領域と、を有する回動壁部材と、を有することを特徴とする多芯筆記具、である。
【発明の効果】
【０００８】
本発明によれば、軸筒後端に回動自在に回動壁部材が設けられる。そして、この回動壁部材には、ノック部材が通過可能に形成される領域（通過可能領域）と、ノック部材の後方への通過を規制する領域（通過規制領域）が設けられている。よって、回動壁部材を回動させ、交換をしたい所望のノック部材（筆記芯）に通過可能領域を合わせると、ノック部材（筆記芯）を引き抜き交換することができる。通常の使用が可能な状態においては、ノック部材の後方への移動が規制されるので、ノック部材（筆記芯）が抜けてしまうこともない。
【図面の簡単な説明】
【０００９】
【図１】本発明の実施形態に係る多芯筆記具の縦断面図である。解除状態を示している。図４のＩ−Ｉ断面図である。
【図２】筆記可能状態を示す本実施形態に係る多芯筆記具の縦断面図である。
【図３】図１の多芯筆記具をＡ方向から見た側面図である。
【図４】図１の多芯筆記具を後方から見た側面図である。
【図５】図６のＶ−Ｖ断面図である。
【図６】多芯筆記具を後方から見た側面図であり、筆記芯（ノック部材）の交換時の状態を示す。
【図７】図５の後端部付近の要部拡大図である。
【発明を実施するための形態】
【００１０】
以下、図面を参照しつつ本発明の実施例について説明する。なお、以下の説明において、前方向は、ペン先側の方向を指す。
【実施例１】
【００１１】
本発明の実施形態を図１〜図７に示す。図１において、多芯筆記具１は、略円筒状の軸筒２を有し、複数の筆記芯３が内蔵されている。本実施例においては、ボールペン３ａとシャープペンシル３ｂの２種類の筆記芯が内蔵されている。筆記芯３の後端には、それぞれノック部材４（４ａ，４ｂ）が接続されている。本実施例においては、ノック部材４の先端の図示しない嵌合部が、円筒状に形成される筆記芯３の後端の孔に圧入して固定されている。
【００１２】
ノック部材４には、径方向外側後方へ向けて本体部４１から縦断面視において隆起した操作片４２が形成されている。一方、軸筒２の後方には窓部２１が筆記芯３と対応して形成されており、操作片４２が窓部２１を介して軸筒２の外側に突出している。そして、窓部２１の後端は、開口されている。
【００１３】
さらに、図３において、ノック部材４の両側面には、摺動片４３が突出している。一方、軸筒２の後方には、横断面凹状に、摺動片４３と対応して、軸筒２の軸心方向に軸筒２後端から所定距離連続してノックガイド部２２が形成されている。すなわち、摺動片４３がノックガイド部２２により軸筒２の軸心に沿う方向（換言すれば前後方向）にガイドされる。よって、ノック部材４が軸筒２の軸心に沿う方向にガイドされることとなる。
【００１４】
また、図１において、ノック部材４の前方には、後述するコイルバネ５（５ａ，５ｂ）を係止する係止突起４４が側面に突出形成されている。
【００１５】
軸筒２の内部の長手方向略中央後方寄りには、デバイダー６が固設されている。デバイダー６には、筆記芯３に対応して筆記芯３をガイドするガイド孔６１（６１ａ，６１ｂ）が設けられている。そして、ガイド孔６１間（換言すれば、デバイダー６の中心位置）には、円柱状にコイルガイド６２が、後方へ向けて立設している。コイルバネ５は、一端側を前述のノック部材４の係止突起４４に係止される。コイルバネ５の他端側は、ガイド孔６１の後方に形成されるコイルバネ保持孔６１１（６１１ａ，６１１ｂ）に圧入固定され保持されている。
【００１６】
コイルバネ５は、係止突起４４とコイルバネ保持孔６１１間に、中央に筆記芯３を遊嵌し、かつ、弾発状態で設けられている。よって、ノック部材４（及び連設する筆記芯３）は、後方へ付勢されている。これにより、ノック部材４の後端面４７は、後述する回動壁部７の回動壁部材７１における通過規制領域Ｓ（図６及び図７参照）の前方面と、解除状態（図１の状態）で当接している。
【００１７】
一方で、図２において、ノック部材４の操作片４２との対向面には、前方に解除突起４５が突出形成されている。同様に、解除突起４５の後方には被解除突起４６が突出形成されている。さらに、軸筒２のノックガイド部２２の前端には、筆記可能状態においてノック部材４の後端面４７を係止する係止部２２１が形成されている。
【００１８】
なお、軸筒２は、前端を先細状に形成され、ペン先３１（３１ａ、３１ｂ）が出没可能な開口部２３が開口している。
【００１９】
図１、図３及び図６、図７に示すように、軸筒２の後端には、回動壁部７が設けられている。回動壁部７の回動壁部材７１は、軸筒２の後方から見た側面視において、Ｃ字状に略円盤状に形成されている。詳細には、図７において、回動壁部材７１の縁部付近は、軸筒２の軸心と垂直な面である被ガイド縁７１１が形成され、傾斜面７１２を介して後方に向けて立ち上がっている。
【００２０】
一方、軸筒２の後端外周からは、ガイド環７２が後方へ向けて立設している。ガイド環７２は、窓部２１で開口されている部分を除いた軸筒２の後端を基端として後方へ立設している。よって、本実施例においては、対向して設けられている。そして、ガイド環７２には、径方向内側へ向けて突起７２１が環状に連続して設けられている。すなわち、この突起７２１の被ガイド縁７１１に対する対向面により、回動壁部材７１は回動自在に支持されている。
【００２１】
回動壁部材７１は、後方から見てＣ字状に形成される（図４、図６参照）が、その開口される領域（通過可能領域Ｔ）は、ノック部材４（筆記芯３）が通過できる程度に開口されている。そして、回動壁部材７１の開口されていない領域（通過規制領域Ｓ）は、前方面がノック部材４の後端面４７と当接可能に形成されている（図１、図２参照）。よって、図１及び図２における通常の使用状態においては、ノック部材４は、その後方への移動を回動壁部材７１により規制されている。換言すれば、ノック部材４は、回動壁部材７１の通過を規制されているといえる。
【００２２】
多芯筆記具１のノック操作（筆記可能状態と解除状態の切替）は、公知の従来技術によるが、概略説明する。筆記芯３が軸筒２内に没入されている状態（図１の状態、すなわち解除状態）においては、ノック部材４の後端面４７は、回動壁部材７１の前方面と当接している。そして、操作片４２を前方に押圧操作することにより、摺動片４３は、ノックガイド部２２上を摺動する。そして、ノックガイド部２２の前端まで達すると、ノックガイド部２２と摺動片４３の係合が解除される。ゆえに、ノック部材４は、軸筒２の径方向内側に落ち込む。このとき、ノック部材４の後端面４７が、ノックガイド部２２の先端側に設けられた係止部２２１に係止され、ペン先３１が開口部２３から突出し、筆記可能状態（図２の状態）となる。
【００２３】
筆記可能状態を解除するには、解除状態にあるノック部材４を押圧する。すると、押圧されたノック部材４の解除突起４５が、筆記可能状態にあるノック部材４の被解除突起４６に当接し、ノック部材４を外方へ押し出す。すると、再度摺動片４３がノックガイド部２２と係合し、コイルバネ５の付勢力により、ノック部材４（筆記芯３）は後端まで移動する。
【００２４】
なお、筆記可能状態におけるノック部材４の軸筒２の径方向内側への落ち込み過ぎ防止のための突起等は図示しないが、別途形成してもよい。
【００２５】
次に、筆記芯３の交換手順を説明する。図３のような解除状態から、回動壁部材７１を回動させて、開口領域である通過可能領域Ｔを、所望のノック部材４と合わせる（図６の状態）。ノック部材４と通過可能領域Ｔが合致している場合、ノック部材４は後方移動の規制が無いので、そのまま手動操作にてノック部材４（筆記芯３）を引き抜くことができる。そして、任意の筆記芯３（ノック部材４）を再度、通過可能領域Ｔから窓部２１に挿入する。筆記芯３の挿入後、回動壁部材７１を回動させて、通過規制領域Ｓがノック部材４の後方に位置するように設定して、通常の使用が可能な状態となる。
【００２６】
このように、本発明においては、交換したい筆記芯３（ノック部材４）に通過可能領域Ｔを合わせるので、交換不要な筆記芯３に対してまで、脱落等の心配なく筆記芯の交換作業をすることができる。
【００２７】
以上、本発明の実施例を詳細に説明したが、本発明はこれに限定されることなく、本発明の要旨を変更しない範囲で適宜変更することができる。例えば、回動壁部材７１の中心部や通過可能領域Ｔを、スリットが形成されたエラストマーにて形成し、ノック部材４の抜差しに留意するよう設定しても良い。  また、実施例中、軸筒２を一体として形成しているが、上軸、下軸にニ分割又はそれ以上に分割して形成しても良い。また、筆記芯３については、実施例では２本（２種類）内蔵した多芯筆記具１を例としたが、３本（３種類）又はそれ以上の筆記芯により構成しても良い。
【００２８】
また、回動壁部材７１の回動は、ガイド環７２等に設けた凹凸係合部（図示せず）との係合により、適宜の操作感（位置合わせを感覚的に伝えるような一時的な回動規制）を持たせたり、色表示等により位置合わせし易くする等してもよい。
【００２９】
その他、実施例中、軸筒２を一体として形成しているが、上軸、下軸にニ分割又はそれ以上に分割して形成しても良い。また、筆記芯３については、実施例では２本（２種類）内蔵した多芯筆記具１を例としたが、３本（３種類）又はそれ以上の筆記芯により構成しても良い。さらにまた、ノック部材４を筆記芯３に直接接続されているが、他の連結部材（センタリングを行う部材等）を介して接続しても良い。
【符号の説明】
【００３０】
１  多芯筆記具
２  軸筒
２１  窓部
２２  ノックガイド部
２３  開口部
２２１  係止部
３  筆記芯
３１  ペン先
３ａ  ボールペン
３ｂ  シャープペンシル
４  ノック部材
４１  本体部
４２  操作片
４３  摺動片
４４  係止突起
４５  解除突起
４６  被解除突起
４７  後端面
５  コイルバネ
６  デバイダー
６１  ガイド孔
６２  コイルガイド
６１１  コイルバネ保持孔
７  回動壁部
７１  回動壁部材
７１  操作部
７２  ガイド環
７１１  被ガイド縁
７１２  傾斜面
７２１  突起
Ｓ  通過規制領域
Ｔ  通過可能領域
【図１】
0005412329.tif 000002
【図２】
0005412329.tif 000003
【図３】
0005412329.tif 000004
【図４】
0005412329.tif 000005
【図５】
0005412329.tif 000006
【図６】
0005412329.tif 000007
【図７】
0005412329.tif 000008